(57)【要約】【課題】両替機や自動支払機等に組み込まれる紙幣払出装置において、積層収納された紙幣の姿勢を矯正し、紙幣を１枚ずつ安定した姿勢で払い出させる紙幣誘導ローラを備えた紙幣払出装置を提供するものである。【解決手段】紙幣収納部２０は、積層収納された紙幣Ｂの端部と当接し、積層収納された紙幣Ｂを紙幣繰出口５１の適宜位置に移動させる少なくとも一個の紙幣誘導ローラ３０を積層収納された紙幣Ｂの端部の中央よりも紙幣繰出口５１近傍の側面に備えた構成とする。【選択図】　図４
2004086608.tif 000002
【特許請求の範囲】
【請求項１】
紙幣を垂直方向に積層収納する紙幣収納部と、
上記紙幣収納部から紙幣を繰出す紙幣繰出口と、
上記紙幣収納部の最下端に位置した紙幣を紙幣繰出口へ順次送り出す紙幣送出部と、
上記紙幣送出部より送出された紙幣を一定の速度で紙幣収納部の紙幣繰出口より繰り出す紙幣繰出部と、
上記紙幣繰出部から繰出された紙幣を払い出す紙幣払出部と、
上記紙幣払出部から払い出されて紙幣を１枚ずつに分離する紙幣分離部と、
上記紙幣分離部により１枚ずつ分離された紙幣を計数する紙幣計数部と、
上記紙幣計数部で計数された紙幣を係止する係止部により一時保留する一時保留部と、
上記紙幣計数部の信号により動作する紙幣振分部と、
上記一時保留部に保留された紙幣を押出す紙幣押出部と、
上記紙幣押出部により押出された紙幣を外部に供給する紙幣払出口と、
上記紙幣計数部で計数不良となった紙幣を収納するリジェクト部と、を備えた紙幣払出装置において、
上記紙幣収納部は、積層収納された紙幣の端部と当接し、積層収納された紙幣を紙幣繰出口の適宜位置に移動させる少なくとも一個の紙幣誘導ローラを積層収納された紙幣の端部の中央よりも紙幣繰出口近傍の側面に備えたことを特徴とする紙幣払出装置。
【発明の詳細な説明】
【０００１】
【発明が属する技術分野】
本発明は、両替機や自動支払機等に組み込まれる紙幣払出装置に関する。
【０００２】
【従来の技術】
従来、紙幣払出装置の紙幣収納部において、収納する紙幣を積層して収納する場合、紙幣収納部は紙幣の幅よりも大きい幅を持つ箱型形状を成し、紙幣繰出部とそれに対向するガイド部材等により、積層収納された紙幣を紙幣収納部の紙幣繰出口から順次繰出し、紙幣案内通路から外部へ紙幣が供給されるように構成された技術は知られている。また、積層収納された紙幣を紙幣収納部から送出するために、収納された紙幣の枚数が少なくなっても紙幣収納部の下面から突出した紙幣送出部により紙幣を送出せるように最上の収納紙幣の上には、紙幣を収納部下面に向かって押下する錘が載せられていたり、紙幣収納部の下部を紙幣の外形より多少大きくした形状に紙幣収納部の下方が窄められた紙幣収納部が採用されていたりしている。
【０００３】
【発明が解決しようとする課題】
しかしながら、紙幣の長さとほぼ同等な幅の紙幣収納部では紙幣の補充作業を行い難いので、紙幣収納部の幅は多少の余裕をもって形成されていて、紙幣収納部への紙幣補充作業を行う場合には、作業者によりある程度、紙幣の束を整えてから収納するが、積層収納された紙幣の状態（汚れ、シワ、折れ曲がりや部分的な破損等）により積層状態に乱れが生じる。そして紙幣の収納状態の乱れが原因で紙幣送出部により送り出された紙幣がまっすぐに紙幣繰出口へ送出されないことがあり、紙幣繰出部で斜めの姿勢のまま挟持してしまい、紙幣が斜めになったまま紙幣案内通路より紙幣計数部まで搬送され、紙幣の長さ不良や紙幣案内通路内での紙幣詰まり等が発生していた。また、紙幣収納部の下方を紙幣の外形に合わせて窄めるように紙幣収納部を形成すると紙幣収納部の形状が複雑になるので、作成費が掛かってしまっていた。
【０００４】
さらに、紙幣収納部に紙幣を整えて収納しても、紙幣の払出動作時に紙幣繰出部及び紙幣送出部から発生する積層紙幣へ伝わる微小な振動により紙幣の積層状態が乱れることで、紙幣収納時に綺麗に整列して積層収納された紙幣であっても紙幣の積層状態が乱れてしまうことがあった。
【０００５】
本発明の目的は、以上の点を鑑み、紙幣収納部の形状を複雑にすることなく、積層収納された紙幣の収納姿勢を矯正する紙幣誘導ローラを備えた紙幣払出装置を提供するものである。
【０００６】
【課題を解決するための手段】
本発明の請求項１によれば、紙幣を垂直方向に積層収納する紙幣収納部と、上記紙幣収納部から紙幣を繰出す紙幣繰出口と、上記紙幣収納部の最下端に位置した紙幣を紙幣繰出口へ順次送り出す紙幣送出部と、上記紙幣送出部より送出された紙幣を一定の速度で紙幣収納部の紙幣繰出口より繰り出す紙幣繰出部と、上記紙幣繰出部から繰出された紙幣を払い出す紙幣払出部と、上記紙幣払出部から払い出されて紙幣を１枚ずつに分離する紙幣分離部と、上記紙幣分離部により１枚ずつ分離された紙幣を計数する紙幣計数部と、上記紙幣計数部で計数された紙幣を係止する係止部により一時保留する一時保留部と、上記紙幣計数部の信号により動作する紙幣振分部と、上記一時保留部に保留された紙幣を押出す紙幣押出部と、上記紙幣押出部により押出された紙幣を外部に供給する紙幣払出口と、上記紙幣計数部で計数不良となった紙幣を収納するリジェクト部と、を備えた紙幣払出装置において、上記紙幣収納部は、積層収納された紙幣の端部と当接し、積層収納された紙幣を紙幣繰出口の適宜位置に移動させる少なくとも一個の紙幣誘導ローラを積層収納された紙幣の端部の中央よりも紙幣繰出口近傍の側面に備えた構成によって目的が達成される。
【０００７】
【発明の実施の形態】
以下、各図面に基づいて本発明の紙幣払出装置について説明する。
先ず、図１と図２を参照して、本発明の紙幣払出装置１０が内蔵される両替機１について説明する。
両替機１は、矩形状の箱型に形成され、両替機１の本体内部には両替機１の制御を行う制御装置２、投入された紙幣の真偽を識別し金種別に収納する紙幣識別装置３と低額紙幣を計数して払い出す紙幣払出装置１０とが組み込まれて構成している。両替機１の扉４には紙幣投入口５と紙幣払出口６が設けられていて、紙幣投入口５から高額紙幣が投入されると、両替機１内部の上方に設置された紙幣識別装置３内で、投入された高額紙幣（例えば、一万円、５千円、２千円紙幣）の真偽が識別され、投入された高額紙幣が真券であれば、真券信号が制御装置２に送信され制御装置２で真券信号が受信されると、次いで制御装置２より送信された払出信号によって、紙幣払出装置１０は設定された枚数の低額紙幣を紙幣収納部より繰り出し、計数して、紙幣払出口６から低額紙幣を両替機１本体の外部へ供給するように構成されている。
【０００８】
続いて、各図を参照して、本発明の紙幣払出装置１０の構成について説明する。
図３は、本発明の実施例である紙幣払出装置１０の右側面から見た内部説明図である。
図４は、本発明の実施例である紙幣払出装置１０の斜視図である。
図５は、本発明の実施例である紙幣払出装置１０の上面から見た内部説明図である。
図６は、本発明の実施例である紙幣払出装置１０の紙幣収納部を正面から見た部分拡大図である。
先ず、紙幣払い出し動作の流れに沿って、各構成部について説明する。
紙幣収納部２０は、収納される低額紙幣Ｂの丈長幅寸法Ｍ（図６参照）よりもやや大きく間隔をあけて設けられた右側壁２１と左側壁２２（左右の側壁間隔Ｄ）と、背面２３と、底面２４と、上面２５により垂直方向に紙幣を積層して収納可能に縦長の箱型形状を成し、その前面は積層収納された紙幣側面の一部が可視できることで紙幣の残量が把握できる残量確認窓２６が設けられ、前下方へ回動可能に支持された開閉扉２８で形成され、紙幣収納部２０の内部には垂直方向に約８００枚の紙幣を積層して収納可能に成していている。
【０００９】
また、紙幣収納部２０の底面２４中央付近には後述する紙幣送出部４０の一部が適宜間隔をあけて突出し、紙幣収納部２０の背面２３と底面２４が交差する角部２７ａ（図３参照）には収納される紙幣の長手方向に沿って開口した紙幣繰出口５１を含む後述する紙幣繰出部５０が設けられている。さらに、紙幣収納部２０の内部に一部が僅かに突出した後述する紙幣誘導ローラ３０が、紙幣収納部の右側壁２１と左側面壁２２の夫々と底面２４が交差する角部２７ｂ、２７ｃの中央よりも背面２３寄りに左右側壁の夫々に一個ずつ設けられている。そして、紙幣払出装置１０を使用する場合には低額紙幣を紙幣収納部２０に積層収納させた後、収納した紙幣の最上部にある紙幣の上に紙幣押下部材２９としての錘を載せて、収納した紙幣の枚数が少なくなっても円滑に紙幣を送りだすことができるように、収納紙幣を最下面方向へ下げるように成している。さらに、紙幣収納部２０の背面２３の下方には、紙幣収納部１０内に積層収納された紙幣Ｂの残量を検知する残量検知センサー６０が設けられ、残量検知センサー６０のアクチュエータが収納部１０の内部に突出している。
【００１０】
上記紙幣送出部４０は、紙幣収納部２０の底面２４よりも下方に位置し、紙幣Ｂの長手方向（丈長の辺）と平行に配された送出軸４１上に二個の送出ローラ４２が適宜間隔をあけて固着して設けられ、この二個の送出ローラ４２は、紙幣収納部２０の底面２４中央付近に設けられた開口部２４ａから夫々紙幣収納部２０の内部に一部が突出するように形成されている。送出ローラ４２の外周上の一部には摩擦係数の高い樹脂製の紙幣接触部４２ａが設けられているので、紙幣収納部２０に積層収納された最下部の紙幣の下面と接触し回転することで一枚ずつ紙幣を紙幣繰出部５０方向へスライドさせるように成している。
【００１１】
上記紙幣繰出部５０は、紙幣繰出口５１の上方に設けられ、紙幣収納部２０の背面２３下部から紙幣収納部２０の内部に一部が突出した五個のローラから成る繰出従動部５２と、紙幣収納部２０及び紙幣案内通路１１の下方に位置し、紙幣収納部２０内に収納された紙幣Ｂの長手方向（丈長の辺）と平行に配された繰出軸５３と、駆動軸５３上の中央で繰出従動部５２の一部と対向して固着され、細かい凹凸が外周上に配された繰出ローラ５４が紙幣収納部２０の内部に設けられた開口部２４ｂから一部を突出して設けられ、駆動軸５３上の繰出ローラ５４と適宜間隔をあけて繰出ローラの左右に固着され、積層収納された紙幣Ｂの端部近傍の下面で回転し、紙幣収納部２０の内部に設けられた開口部２４ｂから一部が突出した二個の回転ローラ５５によって形成されている。
【００１２】
紙幣案内通路１１は、紙幣繰出部５０より繰出された紙幣Ｂを紙幣案内通路１１の湾曲に合わせて形成された外周を持つ紙幣払出部１２によって下方に向かって案内し、紙幣分離部１４によって一枚ずつ分離された紙幣を紙幣分離部１４に設けられたエンコーダ１４ａと紙幣分離部１４に設けられた発光部１３ａと受光部１３ｂから成る光センサーによって、通過する紙幣Ｂの長さ（透過、遮断時間やパルス数等から算出する）から紙幣Ｂの枚数を計数する紙幣計数部１３によって紙幣Ｂを計数し、紙幣係止部１５まで紙幣Ｂを案内するように、適宜間隔をあけて配された二枚の挟持板１１ａによって形成されている。紙幣案内通路１１によって紙幣係止部１５まで案内された紙幣Ｂは、紙幣係止部１５により一時保留部１６内に順次積層されるようになっている。
【００１３】
紙幣係止部１５によって下方に設けられた一時保留部１６に順次積層し、保留された紙幣Ｂに紙幣の長さ不良等がなければ、紙幣払出口６近傍に設けられた紙幣振分部１８が動作し、リジェクト部１９方向の紙幣通路を遮断する。リジェクト部１９方向が遮断されると、紙幣押出部１７が紙幣払出口６方向に向かって水平動作し、紙幣押出部１７に設けられた紙幣の左右端付近の紙幣側面に当接するように垂直に立設された押出レバー１７ａの側面が紙幣側面を紙幣払出口６方向に押し出し、紙幣Ｂは紙幣払出口６から外部へ供給される。また、保留された紙幣の中に紙幣の長さ不良等があれば、紙幣振分部１８は動作せず、紙幣払出口６方向の紙幣通路を遮断した状態に維持されるので、紙幣押出部１７により押出された保留紙幣はリジェクト部１９へと移送され、再度、紙幣Ｂの払出動作が行われるようになっている。
【００１４】
次に、本発明の要旨である紙幣払出装置２０に設けられた紙幣誘導ローラ３０について説明する。
紙幣誘導ローラ３０は動力源を持たず、積層収納された紙幣Ｂの重量と積層された紙幣Ｂの最上部に載せられた紙幣押下部材２９の重量により紙幣収納部２０の底面２４へ向かって移動する積載された収納紙幣Ｂと当接することで上下方向に回転自在に設けられ、紙幣収納部２０の右側壁２１と左側壁２２の夫々と底面が交差する角部２７ｂ、２７ｃの一部と底面２４の一部に設けられた開口部２４ｃより紙幣収納部２０の内部に紙幣誘導ローラ３０の一部が突出するような位置に設けられている。紙幣誘導ローラ３０を構成するローラ軸３１は紙幣収納部２０の外部に位置し、紙幣収納部２０の左右側壁と平行且つ紙幣収納部２０の底面２４よりも僅かに高い位置に設置されている。また、紙幣収納部内２０において、右側壁２１下部に設けられた紙幣誘導ローラ３０ａと左側壁２２下部の紙幣誘導ローラ３０ｂとの最外形間隔Ｌは、収納紙幣Ｂの寸法よりも僅かに大きく形成されている（図６参照）。
【００１５】
さらに、紙幣誘導ローラ３０が配置される紙幣収納部２０の奥行き方向の設置位置は、紙幣収納部２０の背面２３（紙幣繰出口５１側）から直角に交わる紙幣Ｂの辺（丈の短い辺）に対して、紙幣Ｂ（丈の短い辺）の中央位置よりも紙幣繰出口５１に近い位置に設けられている（図５参照）。左右の紙幣誘導ローラ３１ａ、３１ｂによって、紙幣繰出口５１側に臨む紙幣Ｂの姿勢を左右から安定した状態（紙幣Ｂの左右辺が紙幣繰出口に垂直に臨む）に矯正することができるので、紙幣送出部４０によって積載収納された紙幣Ｂの最下部から順次送出されて、紙幣繰出部５０の一部を構成する繰出従動部５２のローラと繰出ローラ５４とで同時に確実に挟持することができるようになり、紙幣Ｂを真っ直ぐに紙幣案内通路１１内へ真っ直ぐに繰り出すことができる。これにより紙幣Ｂが真っ直ぐに紙幣案内通路内を順次移送されるので、紙幣案内通路１１内で紙幣が詰まったり、繰出される紙幣Ｂが斜めになったりすることがなく、紙幣識別部を安定した姿勢で通過することができるので、紙幣の長さ不良等の計数不良を無くすことができる。
【００１６】
尚、ここでは上記実施例の説明において、紙幣払出装置１０の紙幣収納部２０の左右両側壁面の下部に紙幣誘導ローラ３０を夫々１個ずつ配設した場合について説明したが、左右両側壁面に複数個の紙幣誘導ローラ３０を配設しても、積層収納紙幣の姿勢矯正の効果は得られるので、左右両側壁面の下部に配設する紙幣誘導ローラ３０の数は複数としても良い。また、紙幣収納部２０の左右側壁面のどちらか片側の側壁面に紙幣誘導ローラ３０を設け、紙幣収納部２０の左右側壁の間隔を狭くした場合にも同様な効果が得られるので、両側壁のどちらか片側だけに紙幣誘導ローラ３０を設けても良い。しかし、この場合には紙幣誘導ローラ３０が設けられていない側壁側の紙幣収納部内の側壁表面は滑らかなものが望ましくク、低摩擦処理が施されていても良い。
【００１７】
【発明の効果】
以上の説明で明らかなように本発明の請求項１によれば、紙幣払出装置の紙幣収納部の側面に紙幣誘導ローラを設けることで、紙幣収納部内の垂直方向に積層された紙幣は紙幣収納部の底面に近づくと、紙幣誘導ローラにより左右から姿勢の矯正を受け、紙幣が紙幣繰出口に対して適宜位置へ移動し、安定した状態で紙幣繰出口に臨むことになり、その結果、紙幣は真っ直ぐに紙幣案内通路内へ移送されることになるので、紙幣が斜めになって紙幣繰出口から紙幣案内通路へ繰出されることがなく、紙幣の長さ不良による計数不良を無くすことが可能になる。
【図面の簡単な説明】
【図１】本発明の紙幣払出装置が内蔵された実施例の両替機の正面図
【図２】本発明に係わる実施例である両替機の正面内部説明図
【図３】本発明に係わる実施例の右側面から見た内部説明図
【図４】本発明に係わる実施例の斜視図
【図５】本発明に係わる実施例の上面から見た内部説明図
【図６】本発明に係わる実施例の紙幣収納部の正面から見た部分拡大図
【符号の説明】
【図１】
2004086608.tif 000003
【図２】
2004086608.tif 000004
【図３】
2004086608.tif 000005
【図４】
2004086608.tif 000006
【図５】
2004086608.tif 000007
【図６】
2004086608.tif 000008